(57)【要約】【課題】低コストで多様な使い方を実現することの可能なＬＥＤ照明装置を提供する。【解決手段】ＬＥＤ照明装置１００は、光源となるＬＥＤ素子１１２が配置されるＬＥＤ素子板１１０と、ＬＥＤ素子板１１０の前面に配されＬＥＤ素子板１１０を覆う紙製カバー１２０と、を備え、紙製カバー１２０の両端は、ＬＥＤ素子板１１０の背面に保持される。かかる構成によれば、光源を覆うカバーを紙製としたことで、普及している市販の印刷機を用いて絵柄を少量でも大量でも印刷することが容易であり、非常に安価である。また、紙は発光体からの光を万遍に分散することができるので、紙製カバーを光源から適切に離れたところに設置すれば、ＬＥＤ素子の光が十分に緩和され穏やかな光となる。さらに、紙は軽いので床に置いてもいいし、壁や天井に貼り付けることも容易である。【選択図】図１
0003211576.tif 000002
【実用新案登録請求の範囲】
【請求項１】
光源となる１又は２以上のＬＥＤ素子が配置されるＬＥＤ素子板と、
前記ＬＥＤ素子板の前面に配され前記ＬＥＤ素子板を覆う紙製カバーと、
を備え、
前記紙製カバーの両端は、前記ＬＥＤ素子板の側面又は背面に保持されることを特徴とする、ＬＥＤ照明装置。
【請求項２】
前記紙製カバーの両端にはテープ材が付着され、
前記紙製カバーは、前記テープ材によって、前記ＬＥＤ素子板の側面又は背面に保持されることを特徴とする、請求項１に記載のＬＥＤ照明装置。
【請求項３】
前記紙製カバーの両端近傍に、前記紙製カバーの折り曲げを容易にするための折り曲げ容易部が設けられていることを特徴とする、請求項１又は２に記載のＬＥＤ照明装置。
【考案の詳細な説明】
【技術分野】
【０００１】
本考案は、ＬＥＤ素子を光源に用いたＬＥＤ照明装置に関する。
【背景技術】
【０００２】
近年、省エネなどを目的としてＬＥＤ素子を光源に用いたＬＥＤ照明装置が普及している。従来、ＬＥＤ照明装置では、光源が明るすぎて直接光では問題があるので、壁に反射させた間接光としたり、光源の前面や上面に合成樹脂の乳白色のカバーを設けたりすることが行われている（例えば、非特許文献１参照）。光源の前面や上面に設けられるカバーには色柄を入れることができ、ＬＥＤ照明装置の多様な使い方が実現されている。
【先行技術文献】
【非特許文献】
【０００３】
【非特許文献１】インターネット＜ＵＲＬ：http://www.opter.co.jp/ledbacklight2.html＞
【考案の概要】
【考案が解決しようとする課題】
【０００４】
しかしながら、光源の前面や上面に設けられる合成樹脂の乳白色のカバーに色柄を入れるのは、コストが掛かる。より低コストで多様な使い方が求められていた。
【０００５】
そこで本考案は、このような問題に鑑みてなされたものであり、その目的とするところは、低コストで多様な使い方を実現することの可能な、新規かつ改良されたＬＥＤ照明装置を提供することにある。
【課題を解決するための手段】
【０００６】
上記課題を解決するために、本考案によれば、光源となる１又は２以上のＬＥＤ素子が配置されるＬＥＤ素子板と、前記ＬＥＤ素子板の前面に配され前記ＬＥＤ素子板を覆う紙製カバーと、を備え、前記紙製カバーの両端は、前記ＬＥＤ素子板の側面又は背面に保持されることを特徴とする、ＬＥＤ照明装置が提供される。
【０００７】
かかる構成によれば、光源を覆うカバーを紙製としたことで、普及している市販の印刷機を用いて絵柄を少量でも大量でも印刷することが容易であり、非常に安価である。また、紙は発光体からの光を万遍に分散することができるので、紙製カバーを光源から適切に離れたところ（例えば、２ｃｍ以上離れたところ）に設置すれば、ＬＥＤ素子の光が十分に緩和され穏やかな光となる。さらに、紙は軽いので床に置いてもいいし、壁や天井に貼り付けることも容易である。
【０００８】
本考案は、さまざまな応用が可能である。本考案の応用例は、任意に組み合わせることが可能である。
【０００９】
例えば、前記紙製カバーの両端にはテープ材が付着され、前記紙製カバーは、前記テープ材によって、前記ＬＥＤ素子板の側面又は背面に保持されるようにしてもよい。かかる構成によれば、テープ材を用いた簡易な構成とすることができる。また、他のカバーに交換することも容易である。
【００１０】
また、前記紙製カバーの両端近傍に、折り曲げを容易にするための折り曲げ容易部が設けられているようにしてもよい。このような折り曲げ容易部としては、例えば、破線状の切り込みや、窪み加工などがある。このような折り曲げ容易部を設けると、紙製カバーの両端を容易に折り曲げることができ、紙製カバーの両端をＬＥＤ素子板の側面又は背面に容易に保持することができる。カバーの設置時や交換時に便利である。特に、上述の紙製カバーの両端にテープ材を付着する構成と併用すると、さらに効果的である。
【考案の効果】
【００１１】
本考案によれば、低コストで多様な使い方を実現することの可能なＬＥＤ照明装置が提供される。本考案のその他の効果については、以下の考案を実施するための形態の項でも説明する。
【図面の簡単な説明】
【００１２】
【図１】ＬＥＤ照明装置１００の全体構成を概略的に示す斜視図である。
【図２】ＬＥＤ素子板１１０の構成を示す図である。
【図３】ＬＥＤ照明装置１００を上方から見た図である。
【考案を実施するための形態】
【００１３】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１４】
本考案の一実施形態について説明する。図１は、ＬＥＤ照明装置１００の全体構成を概略的に示す斜視図である。図２は、ＬＥＤ素子板１１０の構成を示す図である。図３は、ＬＥＤ照明装置１００を上方から見た図である。
【００１５】
本実施形態にかかるＬＥＤ照明装置１００は、図１及び図２に示したように、光源となるＬＥＤ素子が配置されるＬＥＤ素子板１１０と、ＬＥＤ素子板１１０の前面（前方）に配されＬＥＤ素子板１１０を覆う紙製カバー１２０と、を備える。そして、紙製カバー１２０の両端は、ＬＥＤ素子板１１０の背面に保持されることを特徴とする。以下、各構成要素について詳細に説明する。
【００１６】
（ＬＥＤ素子板１１０）
ＬＥＤ素子板１１０は、図１に示したように、ＬＥＤ照明装置１００の背面部を構成するとともに、ＬＥＤ照明装置１００の光源となるＬＥＤ素子が配置されるものである。ＬＥＤ素子板１１０には、図１及び図２に示したように、中央にＬＥＤテープ１１２が設けられている。このＬＥＤテープ１１２に、９個のＬＥＤ素子１１２ａが略等間隔で配置されている。ただし、図示した構成は一例に過ぎず、ＬＥＤ素子１１２ａの数や配置は任意でよい。
【００１７】
ＬＥＤテープ１１２は図示しない電源に接続されており、ＬＥＤ素子１１２ａは電源からの給電によって発光する。電源としては、一般的な電源を用いることができる。例えば、電源は乾電池であってもよく外部電源であってもよい。外部電源としては、例えば、家庭用電源や、他の電子機器にＵＳＢ等で接続されて給電される手段などであってもよい。
【００１８】
（紙製カバー１２０）
紙製カバー１２０は、ＬＥＤ素子板１１０の前面に配されＬＥＤ素子板１１０を覆うものである。紙製カバー１２０は、図３に示したように、ＬＥＤ素子板１１０の前面から距離Ｄ＝２ｃｍ程度離れたところに設置される。紙製カバー１２０は紙製であるので、任意の絵柄を容易に印刷することができる。なお、印刷ではなく手書きの絵柄であってもよい。紙製カバー１２０の両端は、図３に示したように、ＬＥＤ素子板１１０の背面に保持される。
【００１９】
紙製カバー１２０の両端は、図３に示したように、ＬＥＤ素子板１１０の背面に回り込んでいる。紙製カバー１２０の両端近傍には、紙製カバー１２０の折り曲げを容易にするための折り曲げ容易部１２０ａが設けられている。折り曲げ容易部１２０ａは、例えば、破線状の切り込みや窪み加工として構成することができる。
【００２０】
紙製カバー１２０の両端には、テープ材１２０ｂが設けられている。紙製カバー１２０の両端は、このテープ材１２０ｂによって、ＬＥＤ素子板１１０の背面に付着されて保持される。なお、紙製カバー１２０の両端は、ＬＥＤ素子板１１０の背面ではなく側面に付着されて保持されてもよい。
【００２１】
以上、ＬＥＤ照明装置１００の構成について説明した。次に、ＬＥＤ照明装置１００の組み立て方及び使用方法について説明する。
【００２２】
まず、図２に示したように、ＬＥＤ素子１１２ａが配置されたＬＥＤ素子板１１０を準備する。また、任意の印刷が施された紙製カバー１２０を準備する。そして、紙製カバー１２０の両端近傍を、折り曲げ容易部１２０ａに沿って折り曲げる。すると、図３に示したように、紙製カバー１２０の両端近傍が、ＬＥＤ素子板１１０の背面に回り込む。
【００２３】
紙製カバー１２０の両端部には、テープ材１２０ｂが付着されている。ＬＥＤ素子板１１０の背面に回り込んだ紙製カバー１２０の両端近傍を、テープ材１２０ｂによって、ＬＥＤ素子板１１０の背面に貼着する。このような手順によって、図１に示したＬＥＤ照明装置１００が組み立てられる。
【００２４】
図１に示したＬＥＤ照明装置１００は軽いので、床に置いてもいいし、壁や天井に貼り付けてもよい。室内が明るいときに点灯してもよく、室内が暗いときに点灯してもよい。
【００２５】
（本実施形態の効果）
以上説明したように、本実施形態のＬＥＤ照明装置１００によれば、光源を紙製カバー１２０で覆う構成としたことで、普及している市販の印刷機を用いて絵柄を少量でも大量でも印刷することが容易であり、非常に安価である。また、紙は発光体からの光を万遍に分散することができるので、紙製カバー１２０を光源から適切に離れたところ（例えば、２ｃｍ以上離れたところ）に設置すれば、ＬＥＤ素子の光が十分に緩和され穏やかな光となる。さらに、紙は軽いので床に置いてもいいし、壁や天井に貼り付けることも容易である。
【００２６】
また、紙製カバー１２０の両端にはテープ材１２０ｂが付着され、紙製カバー１２０は、テープ材１２０ｂによって、ＬＥＤ素子板１１０の背面に保持されるようにしたので、簡易な構成とすることができる。また、他のカバーに交換することも容易である。
【００２７】
また、紙製カバー１２０の両端近傍に、折り曲げを容易にするための折り曲げ容易部１２０ａ（例えば、破線状の切り込み）を施したので、紙製カバー１２０の両端を容易に折り曲げることができ、紙製カバー１２０の両端をＬＥＤ素子板１１０の背面に容易に保持することができる。紙製カバー１２０の設置時や交換時に便利である。
【００２８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００２９】
例えば、上記実施形態では、紙製カバー１２０の両端にテープ材１２０ｂを付着する構成について説明したが、本考案はこれに限定されない。紙製カバー１２０をＬＥＤ素子板１１０に保持可能な任意の手段、例えば、係合手段や磁力手段などを用いることができる。
【００３０】
また、上記実施形態では、紙製カバー１２０の両端近傍に、折り曲げを容易にするための折り曲げ容易部１２０ａ（例えば、破線状の切り込み）を設ける例について説明したが、本考案はこれに限定されない。折り曲げを容易にするための折り曲げ容易部は必ずしも設けなくてもよい。
【００３１】
また、上記実施形態では、紙製カバー１２０をＬＥＤ素子板１１０の前面にのみ設ける構成について説明したが、本考案はこれに限定されない。紙製カバーをＬＥＤ素子板の上面や底面にも設けるようにしてもよい。
【００３２】
以上説明した実施形態・応用例・変形例等は、適宜組み合わせて実施することができる。
【産業上の利用可能性】
【００３３】
本考案は、ＬＥＤ照明装置に利用可能である。
【符号の説明】
【００３４】
１００  ＬＥＤ照明装置
１１０  ＬＥＤ素子板
１１２  ＬＥＤテープ
１１２ａ  ＬＥＤ素子
１２０  紙製カバー
１２０ａ  破線状の切り込み
１２０ｂ  テープ材
【図１】
0003211576.tif 000003
【図２】
0003211576.tif 000004
【図３】
0003211576.tif 000005